(57)【特許請求の範囲】
【請求項１】
本体；
前記本体内に配置された変位可能なプランジャー；
前記プランジャーを遠位方向に前進させるように配置されたバネ；
前記本体に配設され、前記プランジャーを前記バネの力に逆らって近位位置に解放可能に保持するための保持器；および
前記本体に配置されたスリーブであって、前記本体に対してスライド可能であるスリーブ、
を含み、
ここで、前記本体に対する所定範囲にわたる前記スリーブのスライド運動の結果、前記保持器は前記スリーブの表面に沿って摺動することにより変形して前記プランジャーを保持状態から解放し、それによって、前記バネが前記プランジャーを前進させることを可能にすることを特徴とする医療用注射器。
【請求項２】
半径方向内側に伸びる１つまたは複数の突起部を有して前記本体上に回転可能に配置された用量ノブをさらに含み、前記スリーブは前記突起部に対応する１つまたは複数のノッチを有し、ここで、起動前の状態において、前記１つまたは複数の突起部が前記１つまたは複数のノッチ内に位置付けられていることによって、前記用量ノブは前記本体に対する前記スリーブの運動を防止することを特徴とする請求項１に記載の医療用注射器。
【請求項３】
本体；
前記本体内に配置された変位可能なプランジャーであって、その表面に形成された少なくとも１つのねじ山を有するプランジャー；
前記本体内に配置された柄であって、その表面に形成された少なくとも１つのねじ山を有する柄；
押し下げることによって前記柄を遠位方向に前進させるための、前記柄に固定されたボタン；
前記ボタンを前記本体から離れて近位方向に前進させるように配置されたバネ；および
前記柄に配設され、前記ボタンを前記バネの力に逆らって解放可能に保持するための保持器、
を含み、
ここで、前記プランジャーと前記柄との間の所定範囲の相対運動の際に、前記プランジャーの前記ねじ山は、前記柄が回転し、前記柄の回転が前記保持器に前記ボタンを保持状態から解放させ、それによって前記バネが前記ボタンを前進させることを可能にするように、前記柄の前記ねじ山を螺合可能に係合することを特徴とする医療用注射器。
【請求項４】
本体；
前記本体内に配置された変位可能なプランジャーであって、その表面に形成された少なくとも１つのねじ山を有するプランジャー；
前記プランジャーを遠位方向に前進させるように前記本体と前記プランジャーとの間に配置されたバネ；
前記本体内に配置された柄であって、その表面に形成された少なくとも１つのねじ山を有する柄；
押し下げることによって前記柄を遠位方向に前進させるための、前記柄に固定されたボタン；
前記ボタンを前記本体から離れて近位方向に前進させるように配置された二次的なバネ；
前記プランジャーを前記バネの力に逆らって近位位置に解放可能に保持するための第１の保持器；
前記本体に配置されたスリーブであって、前記本体に対してスライド可能であるスリーブ；および
前記柄に配設され、前記ボタンを前記二次的なバネの力に逆らって解放可能に保持するための第２の保持器、
を含み、
ここで、前記本体に対する所定範囲にわたる前記スリーブのスライド運動の結果、前記第１の保持器は前記スリーブの表面に沿って摺動することにより変形して前記プランジャーを保持状態から解放し、それによって、前記バネが前記プランジャーを前進させることを可能にし、および、
ここで、前記プランジャーと前記柄との間の所定範囲の相対運動の際に、前記プランジャーの前記ねじ山は、前記柄が回転し、前記柄の回転が前記第２の保持器に前記ボタンを保持状態から解放させ、それによって、前記二次的なバネが前記ボタンを前進させることを可能にするように、前記柄の前記ねじ山を螺合可能に係合することを特徴とする医療用注射器。
【請求項５】
半径方向内側に伸びる１つまたは複数の突起部を有し、前記本体上に回転可能に配置された用量ノブをさらに含み、前記スリーブは前記１つまたは複数の突起部に対応する１つまたは複数のノッチを有し、ここで、起動前の状態において、前記１つまたは複数の突起部が前記１つまたは複数のノッチ内に位置付けられていることによって、前記用量ノブは、前記本体に対する前記スリーブの運動を防止することを特徴とする請求項４に記載の医療用注射器。
【発明の詳細な説明】
【技術分野】
【０００１】
本発明は、医療用注射器に関し、より具体的には、プランジャー駆動機構を有する医療用注射器に関する。
【背景技術】
【０００２】
プランジャー前進のための内部駆動機構を有する注射器を含む医療用注射器は、先行技術においてよく知られている。プランジャー前進は、２部以上の部の薬剤の自動化された再構成を実施するためおよび／または自動化された注射をもたらすために利用されることができる。より具体的には、プランジャー前進の自動化は、多数の部（例えば、ウェット／ドライ）の薬剤の組み合わせをもたらすために利用されることができる。加えてあるいは代替的に、自動化されたプランジャーの前進は、注射のために針を前進させおよび／または注射の間に薬剤が針を通過するようにさせることができる。そのような自動化された動作は、トリガー機構を必要とする。時期尚早のまたは機能しないトリガー起動（activation）に関する懸念が存在する。
【先行技術文献】
【特許文献】
【０００３】
【特許文献１】米国特許第６，７９３，６４６号明細書
【発明の概要】
【課題を解決するための手段】
【０００４】
１つの態様において、本体；本体内に配置される変位可能なプランジャー；プランジャーを前進させるために配置されるバネ；プランジャーをバネの力に逆らって第１状態に保持するための解放可能な保持器；および本体に配置されるスリーブであって、本体に対してスライド可能であるスリーブを含む医療用注射器が、本明細書に提供される。本体に対する所定範囲にわたるスリーブのスライド運動の結果、解放可能な保持器はプランジャーを解放し、それによって、バネがプランジャーを前進させることを可能にする。有利にも、本発明は、スリーブのスライド運動の際に引き起こされ、それによって、時期尚早の起動または機能しない起動を最小限にする、自動化されたプランジャー駆動を有する医療用注射器を提供する。
【０００５】
さらなる態様において、本体；本体内に配置される変位可能なプランジャーであって、その表面に形成された少なくとも１つのねじ山を有するプランジャー；本体内に配置される柄であって、その表面に形成された少なくとも１つのねじ山を有する柄；柄に固定されたボタン；ボタンを本体から離れて前進させるように配置されるバネ；およびボタンをバネの力に逆らって解放可能に保持するための解放可能な保持器を含む医療用注射器が本明細書中に提供される。プランジャーと柄との間の所定範囲の相対運動の際に、プランジャーのねじ山は、柄が回転し、柄の回転が解放可能な保持器にボタンを解放させ、それによって、バネがボタンを前進させることを可能にするように、柄のねじ山を螺合可能に係合する。有利にも、本発明は、それによってプランジャー駆動ボタンへのアクセスが操作の所望の局面でのみ提供される、固定された順番の操作を用いる医療用注射器を提供する。  本発明のこれらおよび他の特徴は、以下の詳細な説明および添付図面の検討を通してより良く理解されるであろう。
【図面の簡単な説明】
【０００６】
【図１】本発明に従って形成された医療用注射器を示す図である。
【図２】図１の線２−２に沿って取った断面図である。
【図３】本発明に従って形成された医療用注射器の分解図である。
【図４】本発明で使用可能な解放可能な保持配置の概略図である。
【図５】再構成後の状態の図１の医療用注射器を示す断面図である。
【図６】針が据え付けられた状態の図１の医療用注射器を示す断面図である。
【図７】図３の線７−７に沿って取った用量ノブの断面図である。
【図８】本発明で使用可能な第１プランジャー部分を示す図である。
【図９】本発明で使用可能な第１プランジャー部分を示す図である。
【図１０】本発明で使用可能な第１プランジャー部分を示す図である。
【図１１】本発明で使用可能な第２プランジャー部分を示す図である。
【図１２】本発明で使用可能な第２プランジャー部分を示す図である。
【図１３】本発明で使用可能な第２プランジャー部分を示す図である。
【図１４】本発明で使用可能な柄を示す図である。
【図１５】選択された位置に用量ノブを解放可能に保持するための配置を示す図である。
【発明を実施するための形態】
【０００７】
図を参照して、医療用注射器が示されており、およびほとんどの場合、参照番号１０で指定されている。医療用注射器１０は、種々のタイプのものであってもよいが、しかし好ましくはペン型注射器タイプのものである。医療用注射器１０は、種々の注射可能な液体、特に薬剤を投与するために使用されてもよい。
【０００８】
図２に示されるように、医療用注射器１０は、その中に配置された軸方向に変位可能なプランジャー１４を有する本体１２を含む。図３を参照して、本体１２は、本体部分１２A、１２Ｂのような多数の構成要素で形成されていてもよい。プランジャー１４は、好ましくは、第１プランジャー部分１６および第２プランジャー部分１８を含む。プランジャー１４は、単一要素として、または別個の構成要素である第１および第２プランジャー部分１６、１８のようなモジュール構成要素によって、形成されていてもよい。以下に記載されるように、用量設定が利用される場合、第１および第２プランジャー部分１６、１８は別個に形成される。
【０００９】
また、バネ２０は、プランジャー１４を所定距離前進させるように構成されおよび位置付けられる。好ましくは、バネ２０は圧縮バネまたはコイルバネであるが、しかし、他のバイアス性要素が同様に利用されてもよい。好ましくは、バネ２０は、本体１２に形成された横材（cross-piece）２２と、プランジャー１４、特に第１プランジャー部分１６との間に配置される。肩部２４がプランジャー１４に形成されていてもよく、それに逆らってバネ２０が力を加える。
【００１０】
プランジャー１４をバネ２０の力に逆らって初期第１状態に解放可能に保持するように構成されおよび位置付けられた解放可能な保持器２６が提供される。プランジャー１４の第１状態は、図２に示される。図５に示されるように、解放可能な保持器２６は、起動の際に、解放可能な保持器２６がプランジャー１４を解放し、それによって、バネ２０がプランジャー１４を前進させることを可能にするように、構成されている。
【００１１】
プランジャー１４は、遠位方向に前進させられることが好ましい。本明細書中に使用される際に、遠位は使用中に患者に向かう方向をいい、一方、近位は使用中に患者から離れる方向をいう。
【００１２】
非限定的な例の目的で、および図４を参照して、解放可能な保持器２６は、本体１２に形成された１つまたは複数の変形可能な（deflectable）係止アーム２８を含んでいてもよい。係止アーム２８は、それぞれ、使用の前にプランジャー１４を初期第１状態に保持する際に、プランジャー１４の部分、特に第１プランジャー部分１６を干渉的に係合するように形成されたデテント３０を含む。好ましくは、第１プランジャー部分１６は、プランジャー１４から半径方向に外側に伸びる１つまたは複数のウィング３２を含む。デテント３０は、図４に示されるように、ウィング３２を干渉的に係合するように形成されている。
【００１３】
ウィング３２は、本体１２内に形成されたガイドチャンネル３４に沿ってスライドするように形成されている。ガイドチャンネル３４は、ウィング３２を直線運動に限定する。したがって、第１プランジャー部分１６は、本体１２に対して回転不可能に保持されている。好ましくは、係止アーム２８は、ガイドチャンネル３４と軸方向に整列している。したがって、ガイドチャンネル３４は、ウィング３２を、係止アーム２０と軸方向に整列する状態に保持する。
【００１４】
解放可能な保持器２６からのプランジャー１４の解放を促進するために、スリーブ３６が提供され、該スリーブ３６は、それに対するスライド運動のために形成された本体１２に配置されている。スリーブ３６は、好ましくは、容易な取扱いのために、本体１２の外部に位置付けられる。スリーブ３６は、好ましくは、本体１２から近位におよび外側に面するようにテーパー付けられた１つまたは複数の傾斜付けられた起動表面３８を含む。
【００１５】
初期状態において、起動表面３８は、デテント３０から離間されている。プランジャー１４を解放するために、スリーブ３６は、起動表面３８がデテント３０を係合した状態で、本体１２に対して近位にスライドされる。十分な近位運動と共に、起動表面は、デテント３０の外側への変形、およびしたがって、第１状態からのプランジャー１４の解放をもたらす。解放の際に、プランジャー１４は、バネ２０の力を受けて遠位に前進させられ、それと共に、ウィング３２がガイドチャンネル３４に沿ってスライドする。スリーブ３６および／または本体１４は、それらの間の相対的な回転を制限するように協働チャンネル４７を係合するために形成されたリブ４５を含んでいてもよい。このようにして、起動表面３８の係止アーム２８との軸方向の整列は維持されていてもよい。
【００１６】
医療用注射器１０は、患者への注射のための薬剤または他の物質４８を収容するように形成された本体１２内に配置された貯槽４６を含む。図３に示されるように、貯槽４６は、当技術分野において知られるように、隔壁５２によって近位端で密封され、および物質４８をそこから押し進めるためにバレル５０を通ってスライド可能であるように形成されたストッパー５４によって遠位端で密封された、バレル５０内に配置された単一の室であってもよい。また、医療用注射器１０は、それに対して針６０を据え付けるためにその表面に形成された構造（feature）５８を有する針据付表面５６を含む。針６０は、針６０を針据付表面５６に据え付ける際に構造５８と協働的に係合するためにその表面に提供された据付構造６４を有するハブ６２を含んでいてもよい。構造５８および据付構造６４は、ねじ山またはバヨネット（bayonet）ロック、および／またはルアー式据付のような摩擦インター係合のような、それらの間の機械的結合を可能にする、知られている協働要素のうちの任意のものであってもよい。針据付表面５６は、第１本体部分１２またはその構成要素に形成されていてもよい。
【００１７】
また、針６０は、患者への注射のために形成された遠位端４２と、近位端４４とを有する針カニューレ４０を含む。
【００１８】
貯槽４６は、再構成のために混合可能である多数の構成要素を収容するように構成されていてもよい。例えば、図２に示されるように、貯槽４６は、第１および第２の混合可能構成要素６６、６８を収容してもよい。ストッパー５４は、所定距離にわたるストッパー５４の遠位前進が第１および第２の混合可能構成要素６６、６８の混合をもたらすように貯槽４６と関連付けられていてもよい。そのような混合を可能にするための任意の知られている配置が利用されてもよい。非限定的な例の目的で、第１および第２の混合可能構成要素６６、６８は、二次的なストッパー７０によって分離されていてもよい。二次的なストッパー７０は、それぞれ第１および第２の混合可能構成要素６６、６８を収容する第１および第２室７２、７４に、貯槽４６を分割する。隔壁５２は、第１室７２の遠位端を密封し、一方、ストッパー５４は、第２室７４の近位端を密封するように位置付けられている。好ましくは、混合可能構成要素の１つとしてドライ構成要素が使用されるならば、ドライ混合可能構成要素は第１室７２内に位置付けられる。
【００１９】
１つまたは複数のバイパスチャンネル７６が、貯槽４６の壁内に形成されている。初期状態において、図２に示されるように、二次的なストッパー７０は、第１および第２室７２、７４間の密封を画定し、および第２室７４およびバイパスチャンネル７６間の密封を画定するように、バイパスチャンネル７６の少なくとも部分的に近位に位置付けられている。ストッパー５４の遠位前進と共に、ならびに第２の混合可能構成要素６８がウェットでありおよび一般的に非圧縮性である状態で、ストッパー５４の運動の力は、第２の混合可能構成要素６８を介して二次的なストッパー７０に伝達される。二次的なストッパー７０の十分な遠位運動と共に、第２室７４は、バイパスチャンネル７６と連通した状態となり、したがって、ストッパー５４のさらなる遠位運動と共に、第２の混合可能構成要素６８が第１室７２に押し進められることを可能にする。図５に示されるように、ストッパー５４の十分な遠位前進と共に、第２室７４は、その中に残存する第２の混合可能構成要素６８を有さずにまたは実質的に有さずにつぶれる。加えて、二次的なストッパー７０は、第１室７２およびバイパスチャンネル７６間の密封を画定するように位置付けられる。第１および第２の混合可能構成要素６６、６８は、注射する準備ができている注射可能な物質４８を作り出すように、医療用注射器１０の攪拌を通じるなどして、第１室７２内で混合される。
【００２０】
貯槽４６のバレル５０は、図に示されるように、別個の薬物カートリッジのバレル、または医療用注射器１０、特に本体１２の部分であってもよい。
【００２１】
当業者によって認識されるように、再構成を可能とするための他の配置が利用されてもよい。加えて、３部などのような２部システム以上のシステムが利用されてよい。活性医療材料が、第１および第２の混合可能構成要素６６、６８うちの１つまたは両方に含まれていてもよい。第１の混合可能構成要素６６は、ドライ（例えば、粉末または粒状物質）および／または液体（例えば、流動可能（スラリーまたは液体））であってもよい。上記のように、第２の混合可能構成要素７０は、好ましくは、液体またはスラリーのような、ウェットな流動可能構成要素のみである。
【００２２】
バネ２０の力を受けてのプランジャー１４の遠位前進は、１つまたは複数の目的を達成するために使用されてもよい。プランジャー１４は、ストッパー５４に逆らって作動し、およびその変位をもたらすように構成されている。再構成のために構成されている貯槽４６を用いて、貯槽４６の内容物の自動再構成が達成されてもよい。加えて、あるいは代替的に、医療用注射器１０は、当技術分野において知られるように、自動注射器であるように構成されていてもよく、そこで、針６０は、当初は本体１２内に収納されており、およびバネ２０の力を受けて、患者の皮膚を貫通するように、例えば貯槽４６の前進運動と共に、そこから押し出される。加えて、あるいは代替的に、プランジャー１４の遠位前進は、注射された針を介した貯槽４６の内容物の投与を引き起こしてもよい。
【００２３】
所望の効果によるが、医療用注射器１０は、プランジャー１４を所定距離駆動させるように構成されていてもよい。ウィング３２と、貯槽４６の近位端７８（例えば、バレル５０の近位端）または本体１２または別の構成要素（以下に記載される用量ノブなど）の部分との間の相互係合のような物理的なストップが、プランジャー１４の遠位前進を制限するために採用されていてもよい。特定の条件下で、図５に示されるように、プランジャー１４は、針６０が医療用注射器１０に据え付けられていない状態で、遠位に前進させられてもよい。したがって、貯槽４６は、そのような動作の間に通気されない。針６０は続いて貯槽４６に据え付けられて（図６）、貯槽４６に捕捉された任意の残留気体は、針６０を介してパージされる。プランジャー１４の遠位前進に対して物理的なストップを提供しないことが好ましい場合がある。このようにして、貯槽４６の内容物は、バネ２０の力を受けて最大限に圧縮されてもよい。針６０は続いて医療用注射器１０に据え付けられて、貯槽４６は通気され、したがってプランジャー１４のさらなる遠位前進を可能にする。この二次的な遠位前進は、針６０の使用を可能にするのに役立つ可能性がある。
【００２４】
プランジャー１４の不慮の起動を防止するために、係止環８０は、そこから半径方向に内側に伸びる１つまたは複数の突起部８２を有する本体１２上に回転可能に配置されていてもよい（図７）。突起部８２に対応する１つまたは複数のノッチ８４（図３）が、スリーブ３６に形成されていてもよい。初期状態において、突起部８２は、本体１２に対するスリーブ３６のスライド運動を防止するように、ノッチ８４内に位置付けられていてもよい。係止環８０の半径方向の変位は、ノッチ８４を自由にし、および、したがって、スリーブ３６のスライド運動、特に近位スライド運動を可能にする。
【００２５】
用量設定のために、係止環８０は、用量ノブ８６として構成されていてもよい。図７に示されるように、用量ノブ８６は、種々の投与量を示す複数の軸方向および半径方向に離間されたアバットメント表面８８を含む。加えて、用量ノブ８６は、ウィング３２に対応する１つまたは複数のストップレッジ９０を含む。ストップレッジ９０は、その遠位前進を制限するようにウィング３２を干渉的に係合するように構成される。ストップレッジ９０は、用量ノブ８６の半径方向の位置全てにおいてガイドチャンネル３４と軸方向に整列している。
【００２６】
用量設定と共に、第１および第２プランジャー部分１６、１８は別個に形成されている。第２プランジャー部分１８は、ウィング３２内に形成されたポケット９４内に入れ子にするように形成されたタブ９２と共に形成される。この配置を用いて、第１および第２プランジャー部分１６、１８はバネ２０の運動の力を受けて一斉に運動する。しかしながら、タブ９２は、アバットメント表面８８のうちの１つを係合するようにストップレッジ９０をバイパスするように形成される。
【００２７】
使用時に、用量ノブ８６は、用量を選択するために、本体１２の周囲で回転させられる。用量設定を示すために、印９６が用量ノブ８６および／または本体１２に提供されていてもよい。用量設定と共に、選択された用量に対応するアバットメント表面８８は、タブ９２と軸方向に整列する。上述のように、プランジャー１４を第１状態から解放すると、第１および第２プランジャー部分１４、１６は、バネ２０の運動の力を受けて遠位に前進させられる。結果として生じる遠位運動と共に、ウィング３２はストップレッジ９０を係合し、したがって、さらなる遠位前進は停止される。第１プランジャー部分１６に逆らって作動するバネ２０、およびさらなる遠位運動が停止されている第１プランジャー部分１６と共に、第２プランジャー部分１８も同様に、同じ位置で停止する。
【００２８】
第２プランジャー部分１８は、ストッパー５４を係合しおよびその遠位前進をもたらすために、第１プランジャー部分１６から別個に遠位に前進させられてもよい。ストッパー５４の運動は、注射可能な溶液４８の投与をもたらす。選択されたアバットメント表面８８は、遠位前進を制限し、およびしたがって、用量を制御する。
【００２９】
第１状態からのプランジャー１４の運動は、ストッパー５４の運動、および第１および第２の混合可能構成要素６６、６８の自動再構成をもたらしてもよい。好ましくは、プランジャー１４のストロークは、ウィング３２がストップレッジ９０を係合する前に完全な自動再構成をもたらすように選択される。自動再構成は、針６０が医療用注射器１０に据え付けられていない状態で実施されることが好ましい。したがって、貯槽４６は、自動再構成の間に通気されない。上述のように、針６０の据付は、任意の捕捉された気体の通気およびパージをもたらす。捕捉された気体のパージは、貯槽内に封入された体積の低減をもたらす。体積の低減は、バネ２０がプランジャー１４の二次的な遠位前進をもたらすことを可能にする。プランジャー１４の二次的な遠位前進の際に、ウィング３２がストップレッジ９０を係合することが好ましい。
【００３０】
用量投与のために、第２プランジャー部分１８は、ボタン９８に取り付けられた柄９６によって前進させられてれもよい。ボタン９８は、手動の用量投与をもたらすための力を受けるために使用者によってアクセス可能である。柄９６は、第２プランジャー部分１８を係合し、およびボタン９８の運動の力を受けてその運動をもたらすように、第１プランジャー部分１６を通って伸びていてもよい。より具体的には、図２に示されるように、柄９６は、プランジャー１４の初期第１状態において、第２プランジャー部分１８の管状部分１００内に伸びる。管状部分１００は、ストッパー５４を係合しおよびその遠位前進をもたらすように寸法付けられている。加えて、柄９６は、拡大ヘッド１０２を有する。図５に示されるように、自動再構成の間の第２プランジャー部分１８の遠位運動と共に、管状部分１００は、拡大ヘッド１０２を越えてスライドするように寸法付けられている。内側に伸びるタング１０４は、管状部分１００の近位端にまたはその近位に位置付けられている。タング１０４は、第２プランジャー部分１８の十分な遠位運動と共に、拡大ヘッド１０２をバイパスするように形成されている（図６）。いったんバイパスされると、タング１０４は、続いて第２プランジャー部分１８に対する柄９６の遠位運動と共に、拡大ヘッド１０２を干渉的に係合するように位置付けられる。したがって、ボタン９８に加えられた力による柄９６の遠位変位は、第２プランジャー部分１８に伝達される。その結果、第２プランジャー部分１８は、ストップレッジ９０によって停止されている第１プランジャー部分１６から遠位に別個に前進する。第２プランジャー部分１８は、ストッパー５４を前進させて、用量投与をもたらす。第２プランジャー部分１８の運動のストロークの長さは、選択されたアバットメント表面８８を相互係合するために進むタブ９２の距離によって定義される。選択されたアバットメント表面８８を係合する前に進むタブ９２の距離が大きいほど、投与される用量は多く；逆に言えば、距離が小さいほど、用量は少ない。
【００３１】
第１プランジャー部分１６は、柄９６の遠位前進の前に拡大ヘッド１０２を収容するための隙間を提供するように、その遠位端に凹部１０６を備えて形成されていてもよい。
【００３２】
医療用注射器１０は、固定用量または変動用量を含む種々のタイプのものであってもよい。好ましくは、医療用注射器１０は、単一の、変動用量の、自動再構成装置である。加えて、医療用注射器１０は、固定された順番の操作：用量設定；自動再構成；および、手動の薬物投与を有するように構成されることが好ましい。
【００３３】
固定された順番の操作を得るために、ボタン９８は、以下に記載されるように、当初は運動が制限される。加えて、用量ノブ８６およびスリーブ３６は、上述のような突起部８２およびノッチ８４が提供される。このようにして、用量は、当初、スリーブ３６の運動を可能にするように設定されているべきである。したがって、用量設定は、自動再構成の起動の前に必要とされる。
【００３４】
図２に示されるように、ボタン９８は、好ましくは、第１状態において横材２に近接して位置付けられており、これはしたがってボタン９８の遠位前進を制限する。この配置を用いて、柄９６は前進させられることができない。二次的なバネ１０６は、例えば横材２２とボタン９８との間に配置されて、本体１２から離れてボタン９８を押し進めるように配置されており、同時に、第２の解放可能な保持器１０８は、ボタン９８を、二次的なバネ１０６の運動の力に逆らって第１状態に解放可能に保持する。
【００３５】
第２の解放可能な保持器１０８は、横材２２を干渉的に係合しおよびボタン９８を第１状態に保持するように配置された柄９６から伸びる少なくとも１つのキャッチ１１０を含む。柄９６の回転は、キャッチ１１０に横材２２内のスロット１１１（図４）との整列をもたらし、それによって、横材２２からキャッチ１１０を解放し、したがって、ボタン９６の前進を可能にする。柄９６の回転を得るために、柄９６に少なくとも１つのねじ山１１２が形成されていてもよい。また、第１プランジャー部分１６は、ねじ山１１２と螺合的に協働するように形成された少なくとも１つのねじ山１１４が提供されていてもよい。第１プランジャー部分１６と柄９６との間の十分な相対運動を用いて、ねじ山１１２、１１４は螺合的に係合する。第１プランジャー部分１６が本体１２によって回転不可能に保持されている状態で、螺合係合は柄９６の回転をもたらす。回転と共に、キャッチ１１０は横材２２から取り除かれ、およびボタン９８はバネ２０の力を受けて本体１２から離れて近位に前進する。ボタン９８の近位運動を制限するために、リップ１１６が横材２２および／または柄９６に形成されていてもよい。ボタン９８は、ボタン９８の押下げが柄９６の遠位前進をもたらす準備状態まで運動させられる。ボタン９８の許容される運動の範囲は、柄９６の最大ストロークを規定する。
【００３６】
ボタン９８は、好ましくは、自動再構成プロセスの間に準備状態まで解放される。ボタン９８は、貯槽４６の通気を用いて得られるプランジャー１４の二次的な遠位前進の際に解放されることがさらに好ましい。このようにして、ボタン９８は、医療用注射器１０が使用準備されている準備状態、図６に示される再構成後の針据付状態まで解放される。用量投与は、したがって、用量設定および自動再構成の後にのみ達成可能にされることができる。
【００３７】
また、ボタン９８の近位前進は、拡大ヘッド１０２の近位運動をもたらすことに注意されたい。この配置を用いて、柄９６および管状部分１００は、第２プランジャー部分１８の遠位前進の要因となるのみでなく、拡大ヘッド１０２の近位運動の要因ともなるように、位置付けられおよび構成されるべきである。
【００３８】
用量ノブ８６は、種々の用量設定に対応する位置に解放可能に保持されることが好ましい。このようにして、いったん用量が設定されると、用量ノブ８６の不慮の回転が無く、したがって、不適切なアバットメント表面８８がタブ９２を係合することを避けることが好ましい。そのような配置は、特許文献１に開示されている。特許文献１に示されるように、図１５を参照して、用量ノブ８６に形成された１つまたは複数のラチェット歯１１８と選択的に係合可能である、１つまたは複数の係止タブ１１６が本体１２に形成されていてもよい。ラチェット歯１１８は、円周方向に離間されおよびアバットメント表面８８に対応する用量設定を示すように位置付けられていてもよい。タブ１１６は、さまざまな用量サイズに対応する所与の半径方向の位置でラチェット歯１１８の間に入れ子となっている。用量ノブ８６の回転と共に、タブ１１６はラチェット歯１１８をバイパスするようにされている。ラチェット歯１１８は、用量ノブ８６の半径方向の位置を維持する。
【図１】
0005480269.tif 000002
【図２】
0005480269.tif 000003
【図３】
0005480269.tif 000004
【図４】
0005480269.tif 000005
【図５】
0005480269.tif 000006
【図６】
0005480269.tif 000007
【図７】
0005480269.tif 000008
【図８】
0005480269.tif 000009
【図９】
0005480269.tif 000010
【図１０】
0005480269.tif 000011
【図１１】
0005480269.tif 000012
【図１２】
0005480269.tif 000013
【図１３】
0005480269.tif 000014
【図１４】
0005480269.tif 000015
【図１５】
0005480269.tif 000016